(57)【要約】【課題】自身と接続された外部装置に応じた処理を容易に実行可能な音データ処理装置を提供すること。【解決手段】スピーカ、第一接続端子、第二接続端子、及び第三接続端子とを備える音データ処理装置において、第一接続端子を介して接続された機器である第一機器が、他の音データ処理装置であるか否かが、第一電圧に少なくとも基づき判断される（Ｓ１，Ｓ２）。判断結果に応じて、第三接続端子を介した音データの入出力を許可するか否かが切り替えられる（Ｓ３，Ｓ６，Ｓ７）。第二接続端子を介して接続された機器である第二機器が、他の音データ処理装置であるか否かが、第二電圧に基づき判断される（Ｓ５，Ｓ９）。判断結果に応じて、スピーカにより音を出力するか否かが切り替えられる（Ｓ１０，Ｓ１２，Ｓ１５）。【選択図】図３
2014158153.tif 000002
【特許請求の範囲】
【請求項１】
音を表すデータである音データに基づき音を出力するスピーカと、
少なくとも他の音データ処理装置及び携帯端末と択一的に接続可能な端子であって、音データを出力可能な第一出力部と、音データを入力可能な入力部とを備えた端子である第一接続端子と、
少なくとも他の音データ処理装置及び音データに基づき音を出力可能な音出力装置と択一的に接続可能な端子であって、音データを出力可能な第二出力部と、接続された機器に応じて音データを入力又は出力可能な入出力部とを備えたである第二接続端子と、
音データを入出力可能な端子であって、前記第一接続端子及び前記第二接続端子の各々とは別の規格の端子である第三接続端子と、
前記第一接続端子を介して接続された機器である第一機器が、他の音データ処理装置であるか否かを、前記第一機器が前記第一接続端子に接続されたことに起因する電圧である第一電圧に少なくとも基づき判断する第一判断手段と、
前記第二接続端子を介して接続された機器である第二機器が、他の音データ処理装置であるか否かを、前記第二機器が前記第二接続端子に接続されたことに起因する電圧である第二電圧に基づき、判断する第二判断手段と、
前記第一判断手段の判断結果に応じて、前記第三接続端子を介した音データの入出力を許可するか否かを切り替える第一切替制御手段と、
前記第二判断手段の判断結果に応じて、前記スピーカにより音を出力するか否か切り替える第二切替制御手段と
を備えることを特徴とする音データ処理装置。
【請求項２】
前記第一切替制御手段は、前記第一判断手段によって前記第一機器は他の音データ処理装置であると判断された場合に、前記第三接続端子を介して音データを入出力させないことを特徴とする請求項１に記載の音データ処理装置。
【請求項３】
周囲の音を音データに変換するマイクと、
前記第一接続端子の前記入力部から入力された音データと、前記第二接続端子の前記入出力部から入力された音データと、前記マイクによって生成された音データとを電気的に足し合わせることが可能な第一合成手段と
を更に備え、
前記第一切替制御手段は、前記第一判断手段によって前記第一機器は前記他の音データ処理装置ではないと判断された場合に、前記第三接続端子を介して音データを入出力することを許可し、前記第三接続端子を介して音データを出力する場合には、前記第一合成手段が合成した音データを出力することを特徴とする請求項１又は２に記載の音データ処理装置。
【請求項４】
前記第二判断手段は、前記第二機器が、他の音データ処理装置及び前記音出力装置のいずれであるかを前記第二電圧に基づき判断し、
前記第二切替制御手段は、前記第二判断手段によって前記第二機器は前記音出力装置であると判断された場合に、前記スピーカにより音を出力させないことを特徴とする請求項１から３のいずれかに記載の音データ処理装置。
【請求項５】
前記第一判断手段は、前記第一機器が前記他の音データ処理装置及び前記携帯端末のいずれであるかを少なくとも前記第一電圧に基づき判断し、
前記第一判断手段によって前記第一機器は前記携帯端末であると判断された場合に、前記第一接続端子の前記第一出力部介して音データを出力する際の当該音データによって表される音の大きさを、前記第一判断手段によって前記第一機器は前記他の音データ処理装置であると判断された場合に比べ小さくする音データ調整手段を更に備えることを特徴とする請求項１から４のいずれかに記載の音データ処理装置。
【請求項６】
前記第一接続端子に前記第一機器が接続されているかを機械的に検出する検出手段と、
前記第一判断手段は、前記第一電圧と、前記検出手段による検出結果とに少なくとも基づき、前記第一機器が他の音データ処理装置及び前記携帯端末のいずれであるかを判断することを特徴とする請求項５に記載の音データ処理装置。
【請求項７】
基準電圧を印加する基準電源と、
前記基準電源と、前記第二接続端子の前記入出力部との間に電気的に接続されたプルアップ抵抗と
を更に備え、
前記第二判断手段は、前記プルアップ抵抗の前記基準電源側とは反対側の端部である電圧判断端部の電圧を前記第二電圧とし、当該第二電圧に基づいて前記第二機器が他の音データ処理装置及び前記音出力装置のいずれであるかを判断する請求項１から６のいずれかに記載の音データ処理装置。
【請求項８】
前記第一接続端子の前記入力部を介して入力された音データと、前記第三接続端子を介して入力された音データとを合成する第二合成手段と、
前記第二判断手段の判断結果に応じて、前記第二接続端子の前記入出力部が接続される経路を、前記第一接続端子の前記第一出力部と接続する第一経路と、前記第二合成手段と接続する第二経路とのいずれかに切り替える切替手段と、
前記第二判断手段によって、前記第二機器が前記音出力装置であると判断された場合に、前記切替手段を制御して、前記第二接続端子の前記入出力部が接続される経路を前記第二経路に切り替える第三切替制御手段と、
前記第二経路上の前記電圧判断端部と、前記第二合成手段との間に設けられたコンデンサと
を更に備えることを特徴とする請求項７に記載の音データ処理装置。
【発明の詳細な説明】
【技術分野】
【０００１】
本発明は、複数の接続端子を備えた音データ処理装置に関する。
【背景技術】
【０００２】
複数台のスピーカフォンの同時使用が可能なスピーカフォンシステムが知られている（例えば、特許文献１参照）。特許文献１に記載のスピーカフォンシステムでは、１台の電話機に対して、複数のスピーカフォンが直列に接続可能である。即ち、複数のスピーカフォンは、所謂デイジーチェーンで接続可能である。具体的には、最上流となる１台のスピーカフォンは電話機のイヤホン端子と接続可能である。複数のスピーカフォンの各々は、同一径でオーディオ規格の丸型３極コネクタを介して直列に接続可能である。
【先行技術文献】
【特許文献】
【０００３】
【特許文献１】特開２００４−２４２０１２号公報
【発明の概要】
【発明が解決しようとする課題】
【０００４】
スピーカフォンの用途は様々である。例えば、スピーカフォンが上記の如くデイジーチェーンで用いられる場合の他、パーソナルコンピュータ（ＰＣ）及び携帯端末等の他の外部装置と接続されて用いられる場合がある。上記特許文献１に記載のスピーカフォンシステムでは、１つのスピーカフォンが、電話機又は他のスピーカフォンと接続されることは想定されているが、他の外部装置と接続される場合があることは想定されていなかった。したがって、特許文献１に記載のスピーカフォンシステムでは、スピーカフォンは、上記その他の外部装置と接続することができない可能性がある。スピーカフォンは、他の外部装置に接続することができたとしても、外部装置に応じた、所望の処理をスピーカフォンに実行させるための設定が複雑となることが想定される。
【０００５】
本発明の目的は、自身と接続された外部装置に応じた処理を容易に実行可能な音データ処理装置を提供することである。
【課題を解決するための手段】
【０００６】
本発明の一態様に係る音データ処理装置は、音を表すデータである音データに基づき音を出力するスピーカと、少なくとも他の音データ処理装置及び携帯端末と択一的に接続可能な端子であって、音データを出力可能な第一出力部と、音データを入力可能な入力部とを備えた端子である第一接続端子と、少なくとも他の音データ処理装置及び音データに基づき音を出力可能な音出力装置と択一的に接続可能な端子であって、音データを出力可能な第二出力部と、接続された機器に応じて音データを入力又は出力可能な入出力部とを備えたである第二接続端子と、音データを入出力可能な端子であって、前記第一接続端子及び前記第二接続端子の各々とは別の規格の端子である第三接続端子と、前記第一接続端子を介して接続された機器である第一機器が、他の音データ処理装置であるか否かを、前記第一機器が前記第一接続端子に接続されたことに起因する電圧である第一電圧に少なくとも基づき判断する第一判断手段と、前記第二接続端子を介して接続された機器である第二機器が、他の音データ処理装置であるか否かを、前記第二機器が前記第二接続端子に接続されたことに起因する電圧である第二電圧に基づき、判断する第二判断手段と、前記第一判断手段の判断結果に応じて、前記第三接続端子を介した音データの入出力を許可するか否かを切り替える第一切替制御手段と、前記第二判断手段の判断結果に応じて、前記スピーカにより音を出力するか否か切り替える第二切替制御手段とを備える。
【０００７】
本態様の音データ処理装置は、第一接続端子と、第二接続端子とを備え、両者を利用して、複数の音データ処理装置を直列に接続可能である。このとき、音データ処理装置に接続される他の音データ処理装置は、同じ音データ処理装置であってもよいし、構成が異なる音データ処理装置であってもよい。音データ処理装置は更に、第三接続端子を備え、第三接続端子を介して音データを入出力可能である。音データ処理装置は、複数の音データ処理装置が直列に接続した状態で、第三接続端子を介して、音データを入出力可能である。音データ処理装置は、第一接続端子に他の音データ処理装置が接続されているか否かに応じて、第三接続端子を介した音データの入出力を許可するか否かを自動的に切り替えることができる。音データ処理装置は、第二接続端子に他の音データ処理装置が接続されているか否かに応じて、スピーカにより音を出力するか否かを自動的に切り替えることができる。このため音データ処理装置は、これらの切替をユーザが手動で実行する場合に比べ、自身と接続された外部装置に応じた処理を容易に実行可能である。
【０００８】
本態様に係る音データ処理装置において、前記第一切替制御手段は、前記第一判断手段によって前記第一機器は他の音データ処理装置であると判断された場合に、前記第三接続端子を介して音データを入出力させなくてもよい。
【０００９】
第一接続端子に他の音データ処理装置が接続されている場合、デイジーチェーンの一部、特に、第一接続端子に接続された他の音データ処理装置の下流側の装置を構成していると想定される。このため、この場合の音データ処理装置は、第一接続端子に他の音データ処理装置が接続されている場合、第三接続端子を介して音データを入出力する処理を禁止する。これにより音データ処理装置は、第三接続端子から音データが入力され、音データに基づき、デイジーチェーンを構成する上流側の他の音データ処理装置とは異なる音が再生されることを回避することができる。また音データ処理装置は、第一接続端子に他の音データ処理装置が接続されている場合、第三接続端子を介して音データを他の装置に出力することを禁じる。このため、デイジーチェーンを構成する音データ処理装置において、個々に音データの入出力が許可される場合比べ、音データを第三接続端子を介して他の装置に出力する処理の統制を図ることができる。
【００１０】
本態様に係る音データ処理装置において、周囲の音を音データに変換するマイクと、前記第一接続端子の前記入力部から入力された音データと、前記第二接続端子の前記入出力部から入力された音データと、前記マイクによって生成された音データとを電気的に足し合わせることが可能な第一合成手段とを更に備え、前記第一切替制御手段は、前記第一判断手段によって前記第一機器は前記他の音データ処理装置ではないと判断された場合に、前記第三接続端子を介して音データを入出力することを許可し、前記第三接続端子を介して音データを出力する場合には、前記第一合成手段が合成した音データを出力してもよい。この場合の音データ処理装置は、自身がデイジーチェーンの最上流の装置であると判断される場合に、第三接続端子を介した音データの入出力を許可することができる。このとき、第三接続端子を介して出力される音データは、合成手段が合成した音データである。このため、デイジーチェーンを構成する音データ処理装置において、個々に音データの入出力が許可される場合に比べ、音データを第三接続端子を介して他の装置に出力する処理の統制を図ることができる。
【００１１】
本態様に係る音データ処理装置において、前記第二判断手段は、前記第二機器が、他の音データ処理装置及び前記音出力装置のいずれであるかを前記第二電圧に基づき判断し、前記第二切替制御手段は、前記第二判断手段によって前記第二機器は前記音出力装置であると判断された場合に、前記スピーカにより音を出力させなくてもよい。この場合の音データ処理装置は、第二機器が音出力装置である場合には、スピーカから音を出力させない。音データ処理装置は、第二機器に応じて、スピーカにより音を出力するか否かをユーザが手動で切り替える手間を省くことができる。
【００１２】
本態様に係る音データ処理装置において、前記第一判断手段は、前記第一機器が前記他の音データ処理装置及び前記携帯端末のいずれであるかを少なくとも前記第一電圧に基づき判断し、前記第一判断手段によって前記第一機器は前記携帯端末であると判断された場合に、前記第一接続端子の前記第一出力部介して音データを出力する際の当該音データによって表される音の大きさを、前記第一判断手段によって前記第一機器は前記他の音データ処理装置であると判断された場合に比べ小さくする音データ調整手段を更に備えてもよい。
【００１３】
携帯端末には音データが表す音の大きさを増幅する回路が備えられている場合がある。このような場合、他の音データ処理装置で再生されるのに適した音量の音データを携帯端末に出力すると、携帯端末で音データを再生した場合に音が大きすぎる。これに対しこの場合の音データ処理装置では、第一機器が携帯端末である場合には、音データによって表される音の大きさを、第一機器は他の音データ処理装置であると判断された場合に比べ小さくすることができる。これにより音データ処理装置は、音データ処理装置から出力された音データが携帯電話で再生された場合にも、音の大きさが大きすぎるという事態を回避することができる。
【００１４】
本態様に係る音データ処理装置において、前記第一接続端子に前記第一機器が接続されているかを機械的に検出する検出手段と、前記第一判断手段は、前記第一電圧と、前記検出手段による検出結果とに少なくとも基づき、前記第一機器が他の音データ処理装置及び前記携帯端末のいずれであるかを判断してもよい。
【００１５】
第一接続端子に携帯端末が接続された場合、携帯端末から電圧が印加されるため、第一接続端子に携帯端末が接続されていない場合に比べ、第一電圧が高くなる。一方、音データ処理装置の構成によっては、第一接続端子に他の音データ処理装置が接続された場合の第一電圧と、第一接続端子に他の音データ処理装置が接続されていない場合の第一電圧とは同様である場合がある。このような構成の場合、第一電圧のみでは、第一接続端子に他の音データ処理装置が接続されているか、又は何も接続されていないのかが区別できない。これに対し音データ処理装置は、第一電圧と検出手段の検出結果に基づき、第一接続端子に他の音データ処理装置が接続されたことを検出可能である。
【００１６】
本態様に係る音データ処理装置において、基準電圧を印加する基準電源と、前記基準電源と、前記第二接続端子の前記入出力部との間に電気的に接続されたプルアップ抵抗とを更に備え、前記第二判断手段は、前記プルアップ抵抗の前記基準電源側とは反対側の端部である電圧判断端部の電圧を前記第二電圧とし、当該第二電圧に基づいて前記第二機器が他の音データ処理装置及び前記音出力装置のいずれであるかを判断してもよい。この場合の音データ処理装置では、第二接続端子に何も接続されていない場合と、音出力装置が接続された場合と、他の音データ処理装置が接続された場合とで、第二電圧が異なる。このため音データ処理装置は、比較的簡単な構成によって、第二電圧に基づき、第二接続端子に何も接続されていない場合と、音出力装置が接続された場合と、他の音データ処理装置が接続された場合とを識別することが可能である。
【００１７】
本態様に係る音データ処理装置において、前記第一接続端子の前記入力部を介して入力された音データと、前記第三接続端子を介して入力された音データとを合成する第二合成手段と、前記第二判断手段の判断結果に応じて、前記第二接続端子の前記入出力部が接続される経路を、前記第一接続端子の前記第一出力部と接続する第一経路と、前記第二合成手段と接続する第二経路とのいずれかに切り替える切替手段と、前記第二判断手段によって、前記第二機器が前記音出力装置であると判断された場合に、前記切替手段を制御して、前記第二接続端子の前記入出力部が接続される経路を前記第二経路に切り替える第三切替制御手段と、前記第二経路上の前記電圧判断端部と、前記第二合成手段との間に設けられたコンデンサとを更に備えてもよい。この場合の音データ処理装置では、第二接続端子に音出力装置が接続された場合、第二接続端子の入出力部が接続される経路を第二経路に自動的に切り換えることができる。そして音データ処理装置は、第二経路上の電圧判断端部と、合成手段とのコンデンサを設けることによって、第二接続端子に音出力装置が接続された後、音出力装置の接続が解除された場合に、第二電圧を基準電圧に確実に戻すことができる。したがって音データ処理装置は、音出力装置の接続が解除された場合に、第二電圧が基準電圧にならないことに起因して、第二判断手段が適切に判断できない事態が発生することを確実に回避することができる。
【図面の簡単な説明】
【００１８】
【図１】音声会議システム１００の概略構成図である。
【図２】スピーカフォン１の電気的構成を示すブロック図である。
【図３】メイン処理のフローチャートである。
【発明を実施するための形態】
【００１９】
以下、本発明を具現化したスピーカフォン１について、図面を参照して説明する。なお、参照される図面は、本発明が採用しうる技術的特徴を説明するために用いられるものである。記載されている装置の構成、各種処理のフローチャート等は、単なる説明例である。
【００２０】
まず、図１を参照して、音声会議システム１００の概略構成について説明する。音声会議システム１００は、ネットワーク９（例えば、インターネット）に接続可能な複数の通信装置８０を含む。本実施形態では、通信装置８０の一例として、汎用のノート型パーソナルコンピュータが採用されている。複数の通信装置８０のうち、通信装置８３だけは、ネットワーク９への接続の有無はどちらでもよい。なお、図１では、複数の通信装置８０として、通信装置８１から８５の５台の通信装置が図示されているが、通信装置８０の数は５台に限られない。以下では、複数の通信装置８１から８５を総称する場合、及び複数の通信装置８１から８５のうちいずれかを特定せずに指す場合には、「通信装置８０」という。
【００２１】
本実施形態では、複数の通信装置８０は、例えば、Ｓｅｓｓｉｏｎ  Ｉｎｉｔｉａｔｉｏｎ  Ｐｒｏｔｏｃｏｌ（ＳＩＰ）に則って接続を確立し、音データを送受信することで、音声会議を実施することができる。なお、通信装置８０は、音データに加え、映像データを送受信することで、テレビ会議を実施可能であってもよい。複数の通信装置８０は、ＳＩＰに則った呼制御を行うＳＩＰサーバ（図示せず）を介して接続を確立してもよいし、ＳＩＰサーバを介さずに接続を確立してもよい。また、相互に接続された複数の通信装置８０間で、文書作成アプリケーション及び描画アプリケーション等で作成された資料の画像データを送受信し、複数の通信装置８０でその資料の画像を共通して表示することも可能である。これにより、通常の会議と同様、複数の通信装置８０で共通して表示される資料（以下、共有資料という）を参照しながら会議を実施することができる。会議実施時の通信装置８０における処理の詳細は後述する。
【００２２】
通信装置８０には、スピーカフォン１を接続可能である。スピーカフォン１は、携帯音楽端末及びパーソナルコンピュータ（以下、ＰＣという。）等の外部装置から出力される音データに基づき、音を再生させる機能を有する。スピーカフォン１は、周囲の音を表す音データを生成し、音データを外部装置に出力機能を備える。スピーカフォン１は、例えば、他の場所にいるユーザと、音声会議及び電話等の会話をする用途で使用される。スピーカフォン１は、第一接続端子１０，第二接続端子２０及び第三接続端子３０を備える。図１中、第一接続端子１０，第二接続端子２０及び第三接続端子３０の各々を、白色の四角、黒色の四角、及び斜線塗りの四角で示している。スピーカフォン１は、第一接続端子１０及び第二接続端子２０を利用して、数珠つなぎに連結することが可能である。したがって、スピーカフォン１は、互いにデイジーチェーン接続することによって、同一の音データを同時に再生可能なスピーカフォン１の台数を増やすことができる。本実施形態において、スピーカフォン１がデイジーチェーンの一部を構成する場合、第一接続端子１０は、上流側の他のスピーカフォン１と接続するための端子となる。上流側とは、ネットワーク９に接続された通信装置８０側である。より具体的には、デイジーチェーン接続されているスピーカフォン２から４のうちのスピーカフォン３において、上流側の他のスピーカフォン１は、スピーカフォン２である。第二接続端子２０は、下流側の他のスピーカフォン１と接続するための端子となる。より具体的には、デイジーチェーン接続されているスピーカフォン２から４のうちのスピーカフォン３において、下流側の他のスピーカフォン１は、スピーカフォン４である。
【００２３】
音声会議システム１００において通信装置８１には、スピーカフォン２が接続されている。スピーカフォン２には、スピーカフォン３が接続されている。スピーカフォン３には、スピーカフォン４が接続されている。通信装置８２には、スピーカフォン５が接続されている。スピーカフォン５には、携帯端末９１及びスピーカフォン６が接続されている。スピーカフォン６には、通信装置８３及び音出力装置９３が接続されている。通信装置８４には、スピーカフォン７が接続されている。スピーカフォン７には携帯端末９２及び音出力装置９４が接続されている。通信装置８５には、スピーカフォン８が接続されている。スピーカフォン８には、音出力装置９５が接続されている。携帯端末９１及び携帯端末９２は、例えば、携帯電話及びスマートフォンである。音出力装置９４及び９５は、ユーザが装着して使用するタイプの音出力装置である。音出力装置９４は、例えば、ヘッドフォン、マイク付きヘッドフォン（ヘッドセット）、及びイヤホンである。以下では、複数のスピーカフォン２から８を総称する場合、及び複数のスピーカフォン２から８のうちいずれかを特定せずに指す場合には、「スピーカフォン１」という。
【００２４】
図２を参照して、スピーカフォン１の電気的構成について説明する。説明を簡単にするために本実施形態のスピーカフォン１は、互いに同じ構成を有するとする。スピーカフォン１は、ＣＰＵ４１，ＲＯＭ４２，ＲＡＭ４３及びＵＳＢインターフェイス４４を備えている。ＲＯＭ４２，ＲＡＭ４３，及びＵＳＢインターフェイス４４は、ＣＰＵ４１に接続されている。ＲＯＭ４２には、種々のプログラムデータ等が記憶される。ＲＡＭ４３には、一時的なデータが記憶される。
【００２５】
スピーカフォン１は更に、第一接続端子１０，第二接続端子２０及び第三接続端子３０を備える。第一接続端子１０は、少なくとも他のスピーカフォン１及び携帯端末と択一的に接続可能である。第一接続端子１０は、他のスピーカフォン１及び携帯端末以外の機器と接続可能であってよい。本実施形態の第一接続端子１０は、挿抜検出部１１，第一出力部１２，及び入力部１３を備える４極コネクタである。第一接続端子１０には、外部装置に接続されたケーブルの一端に設けられた４極プラグを接続可能である。挿抜検出部１１は、第一接続端子１０に接続されているか否かを機械的に検出する。挿抜検出部１１は、図示しないがＣＰＵ４１と電気的に接続されており、検出結果をＣＰＵ４１に入力する。第一出力部１２は、第一接続端子１０を介して接続された外部装置に音データを出力可能である。入力部１３は、第一接続端子１０を介して接続された外部装置からの音データを入力可能である。４極プラグは、グランド端子（以下、ＧＮＤ端子という。）、Ｌｃｈ端子、Ｒｃｈ端子、及びマイク端子を有する。Ｌｃｈ端子は、Ｌｃｈ（Ｌｅｆｔ  ｃｈａｎｎｅｌ）の音を入力するための端子である。Ｒｃｈ端子は、Ｒｃｈ（Ｒｉｇｈｔ  ｃｈａｎｎｅｌ）の音を入力するための端子である。スピーカフォン１は、例えば、音データを、４極プラグのマイク端子、第一出力部１２を介して、第一接続端子１０に接続された他のスピーカフォン１又は携帯端末に送信することができる。また、スピーカフォン１は、例えば、第一接続端子１０に接続された他のスピーカフォン１又は携帯端末から送信された音データを、Ｌｃｈ端子、Ｒｃｈ端子、及び入力部１３を介して取得することができる。
【００２６】
第二接続端子２０は、少なくとも他のスピーカフォン１及び音出力装置と択一的に接続可能な端子である。第一接続端子１０は、他のスピーカフォン１及び音出力装置以外の機器と接続可能であってよい。第二接続端子２０は、入出力部２１及び第二出力部２２を備える３極コネクタである。入出力部２１は、第二接続端子２０に接続された外部装置に応じて、音データを入力又は出力可能である。入出力部２１は、第二接続端子２０に他のスピーカフォン１が接続された場合、他のスピーカフォン１から出力された音データを入力可能である。入出力部２１は、第二接続端子２０に音出力装置が接続された場合、音データを出力可能である。第二出力部２２は、第二接続端子２０を介して接続された外部装置に音データを出力可能である。第二接続端子２０には、外部装置に接続されたケーブルの一端に設けられた３極プラグを接続可能である。
【００２７】
第三接続端子３０は、音データを入出力可能な端子であって、第一接続端子１０及び第二接続端子２０の各々とは別の規格の端子である。本実施形態の第三接続端子３０は、ＵＳＢ（Ｕｎｉｖｅｒｓａｌ  Ｓｅｒｉａｌ  Ｂｕｓ）規格の端子である。第三接続端子３０には、例えば、通信装置８０又は電源供給装置が接続される。
【００２８】
スピーカフォン１は更に、内蔵マイク４５，スピーカ４６，合成回路５１から５３，可変ゲイン増幅器５４から５６，スイッチ６１から６５，基準電源（Ｖｒｅｆ）４７，プルアップ抵抗４８及びコンデンサ４９を備える。内蔵マイク４５は、周囲の音を音データに変換する。スピーカ４６は、音データに基づき音を再生する。合成回路５１から５３は、音データを電気的に足し合わせる機能を備える。具体的には、合成回路５１は、第二接続端子２０の入出力部２１，内蔵マイク４５，及びＵＳＢインターフェイス４４と接続され、各々から入力された音データを電気的に足し合わせる機能を有する。合成回路５２は、第一接続端子１０の入力部１３及びＵＳＢインターフェイス４４と接続され、各々から入力された音データを電気的に足し合わせる機能を有する。合成回路５３は、第一接続端子１０の入力部１３，内蔵マイク４５及び第二接続端子２０の入出力部２１と接続され、各々から入力された音データを電気的に足し合わせる機能を有する。
【００２９】
可変ゲイン増幅器５４から５６は、ＣＰＵ４１からの指令に応じて、音データのゲインを調整し、調整されたゲインに従って音データを増幅する。可変ゲイン増幅器５４は、合成回路５１と、第一出力部１２との間に設けられている。可変ゲイン増幅器５５は、合成回路５２と、第二出力部２２との間に設けられている。可変ゲイン増幅器５６は、合成回路５２と、スピーカ４６との間に設けられている。
【００３０】
スイッチ６１は、第二接続端子２０の入出力部２１及び合成回路５１の間に設けられている。スイッチ６１は、ＣＰＵ４１からの指令に応じて、入出力部２１が接続される経路を、入出力部２１及び合成回路５１を繋ぐ経路と、入出力部２１及び合成回路５２を繋ぐ経路とのいずれかに切り替える。スイッチ６２は、第二接続端子２０の第二出力部２２及び合成回路５２の間に設けられている。スイッチ６２は、ＣＰＵ４１からの指令に応じて、第二接続端子２０の第二出力部２２と接続する経路を、第二出力部２２及び合成回路５２を繋ぐ経路と、第二出力部２２及び可変ゲイン増幅器５５を繋ぐ経路とのいずれかに切り替える。スイッチ６３は、合成回路５２及びスピーカ４６の間に設けられている。スイッチ６３は、ＣＰＵ４１からの指令に応じて、合成回路５２と接続する経路を、合成回路５２及びスピーカ４６を繋ぐ経路と、合成回路５２及び第二接続端子２０を繋ぐ経路とのいずれかに切り替える。スイッチ６４は、ＵＳＢインターフェイス４４及び合成回路５１の間に設けられている。スイッチ６４は、ＣＰＵ４１からの指令に応じて、ＵＳＢインターフェイス４４から合成回路５１に音データを伝達する経路の遮断及び接続を切り替える。スイッチ６５は、合成回路５３及びＵＳＢインターフェイス４４の間に設けられている。スイッチ６５は、ＣＰＵ４１からの指令に応じて、合成回路５３からＵＳＢインターフェイス４４に音データを伝達する経路の遮断及び接続を切り替える。
【００３１】
基準電源４７は、基準電圧を印加する。基準電圧は、例えば１．６Ｖである。プルアップ抵抗４８は、基準電源４７と第二接続端子２０の入出力部２１との間に電気的に接続された抵抗体である。基準電源４７及びプルアップ抵抗４８は、第二接続端子２０に接続された外部装置の種類を、電圧判断端部５７の電圧（第二電圧）に基づき判断するために設けられている。電圧判断端部５７は、プルアップ抵抗４８の基準電源４７側とは反対側の端部である。コンデンサ４９は、電圧判断端部５７と、合成回路５２の間に設けられている。コンデンサ４９は、第二接続端子２０への音出力装置の接続が解除された場合に、第二電圧を基準電圧に確実に戻すために設けられる。
【００３２】
図３を参照して、スピーカフォン１のメイン処理について説明する。メイン処理は、音声会議システム１内の複数のスピーカフォン１の各々で実行される処理である。図１に示すメイン処理は、スピーカフォン１の電源がＯＮにされた場合に開始され、電源がＯＦＦにされた場合に終了する。メイン処理は、ＲＯＭ４２に記憶されているプログラムに基づき、ＣＰＵ４１によって実行される。
【００３３】
図３に示すように、ＣＰＵ４１はまず、挿抜検出部１１の検出結果に基づき、第一機器がスピーカフォン１に接続されているか否かを判断する（Ｓ１）。第一機器は、第一接続端子を介してスピーカフォン１に接続された機器である。第一接続端子１０に携帯端末が接続された場合、携帯端末からスピーカフォン１に電圧が印加されるため、第一接続端子１０に携帯端末が接続されていない場合に比べ、第一電圧が高くなる。第一電圧は、第一機器が第一接続端子１０に接続されたことに起因する電圧である。一方、スピーカフォン１の構成によっては、第一接続端子１０に他のスピーカフォン１が接続された場合の第一電圧と、第一接続端子１０に他のスピーカフォン１が接続されていない場合の第一電圧とは同様である場合がある。そこで本実施形態のスピーカフォン１は、Ｓ１の処理で、挿抜検出部１１の検出結果に基づき第一機器の有無を検出する。
【００３４】
第一機器がスピーカフォン１に接続されていない場合（Ｓ１：ＮＯ）については後述する。図１のスピーカフォン３から７のように、第一機器が第一接続端子１０に接続されている場合（Ｓ１：ＹＥＳ）、ＣＰＵ４１は第一電圧が１Ｖ以上か否かを判断する（Ｓ２）。本実施形態では、検出点５８の電圧を第一電圧とする。検出点５８は、可変ゲイン増幅器５４と第一出力部１２との間にあるとする。検出点５８はＣＰＵ４１と信号線で接続され、第一電圧はＣＰＵ４１に入力される。ＣＰＵ４１内部に備えられる非図示のＡ／Ｄコンバータによって、第一電圧の値が取得される。第一電圧は、第一機器が他のスピーカフォン１である場合と、携帯電話である場合とで異なる。具体的には、第一機器が携帯端末である場合、携帯端末からスピーカフォン１に電圧が印加されるため、第一接続端子１０に携帯端末が接続されていない場合に比べ、第一電圧が高くなる。一方本実施形態では、第一機器が他のスピーカフォン１である場合、第一接続端子１０に他のスピーカフォン１が接続された場合の第一電圧と、第一接続端子１０に外部装置が接続されていない場合の第一電圧とは同様である。故に、Ｓ２の処理によって、第一機器が携帯端末であるか、他のスピーカフォン１であるかを判別する。なお、Ｓ２における第一電圧の閾値は、第一機器の種類、特に、携帯端末であるか、他のスピーカフォンであるかを判別することを考慮して設定されている。このため、第一機器の種類及び判別精度等に応じてＳ２における閾値は適宜変更されてよい。
【００３５】
第一電圧が１Ｖ未満の場合（Ｓ２：ＮＯ）は後述する。図１のスピーカフォン５及び７では、第一電圧が１Ｖ以上であると判断される（Ｓ２：ＹＥＳ）。ＣＰＵ４１は、スイッチ６４，６５の各々に指令を出力して、スイッチ６４，６５の各々を閉じさせる（Ｓ３）。Ｓ３の処理によって、第三接続端子３０を介した音データの入出力が可能となる。ＣＰＵ４１は、可変ゲイン増幅器５４に対して、可変ゲイン増幅器５４のゲインに小を設定するための指令を出力する（Ｓ４）。Ｓ４の処理によって、可変ゲイン増幅器５４におけるゲインに小が設定される。ゲインに小が設定された場合は、ゲインに大が設定される場合に比べ、可変ゲイン増幅器５４での音データの増幅率が小さくなる。したがって、可変ゲイン増幅器５４に同じ音データが入力された場合に、ゲインに小が設定された場合は、ゲインに大が設定される場合に比べ、可変ゲイン増幅器５４を経た音データが表す音の大きさは小さい。Ｓ４の処理は、音データが表す音の大きさを大きくするための回路が携帯端末に備えられていることを考慮した処理である。
【００３６】
ＣＰＵ４１は、第二電圧が０．３Ｖ以上であるか否かを判断する（Ｓ５）。第二電圧は、第二機器が第二接続端子２０に接続されたことに起因する電圧である。第二機器は、第二接続端子２０を介して接続された機器である。本実施形態では、電圧判断端部５７の電圧を第二電圧とする。電圧判断端部５７は、入出力部２１とスイッチ６１との間にあるとする。電圧判断端部５７はＣＰＵ４１と信号線で接続され、第二電圧はＣＰＵ４１に入力される。第二電圧は、第二機器が音出力装置である場合と、第二機器が他のスピーカフォン１である場合とで異なる。第二接続端子２０に外部装置が接続されていない場合、第二電圧は基準電圧となる。本実施形態では第二機器が他のスピーカフォン１である場合、第二電圧は約０．７Ｖとなるとする。本実施形態では第二機器が音出力装置である場合、第二電圧は約０Ｖとなるとする。なお、第二電圧に基づき第二機器を特定する処理で用いる閾値は、上記０．３Ｖに限定されず、適宜変更されてよい。ＣＰＵ４１内部に備えられる非図示のＡ／Ｄコンバータによって、第二電圧の値が取得される。
【００３７】
図１のスピーカフォン５では、第二電圧が０．３Ｖ以上であると判断される（Ｓ５：ＹＥＳ）。この場合、第二接続端子２０には、外部装置が接続されていないか又は他のスピーカフォン１が接続されていることが想定される。ＣＰＵ４１は、スイッチ６３に指令を出力し、スイッチ６３にスピーカ４６及び合成回路５２を接続させる（Ｓ１０）。Ｓ１０の処理によって、スピーカ４６は音データに基づき音を再生可能となる。ＣＰＵ４１は、スイッチ６１に指令を出力し、スイッチ６１によって第二接続端子２０の入出力部２１及び合成回路５１を繋ぐ（Ｓ１１）。ＣＰＵ４１は、スイッチ６２に指令を出力し、スイッチ６２に第二接続端子２０の第二出力部２２及び可変ゲイン増幅器５５を介さずに合成回路５２接続させる（Ｓ１１）。Ｓ１１の処理によって、第二接続端子２０の入出力部２１が接続される経路が、合成回路５１を介して第一出力部１２と接続する第一経路となる。
【００３８】
図１のスピーカフォン７では、第二電圧が０．３Ｖ未満であると判断される（Ｓ５：ＮＯ）。この場合、ＣＰＵ４１は、スイッチ６３に指令を出力し、合成回路５２及び第二接続端子２０を接続する（Ｓ１２）。Ｓ１２の処理によって、スピーカ４６は音データに基づき音を再生不能となる。ＣＰＵ４１は、スイッチ６１に指令を出力し、スイッチ６１に第二接続端子２０の入出力部２１及びコンデンサ４９を接続させる（Ｓ１３）。ＣＰＵ４１は、スイッチ６２に指令を出力し、スイッチ６２によって第二接続端子２０の第二出力部２２及び可変ゲイン増幅器５５を介して合成回路５２を繋ぐ経路を接続する（Ｓ１３）。Ｓ１３の処理によって、第二接続端子２０の入出力部２１が接続される経路が、コンセンサ４９を介して合成回路５２と接続する第二経路となる。
【００３９】
図１のスピーカフォン３，４及び６の各々は、第一機器がスピーカフォン１に接続され（Ｓ１：ＹＥＳ）、第一電圧が１Ｖ未満であると判断される（Ｓ２：ＮＯ）。この場合ＣＰＵ４１は、スイッチ６４，６５の各々に指令を出力して、スイッチ６４，６５の各々を開く（Ｓ６）。Ｓ６の処理によって、第三接続端子３０を介した音データの入出力が不能となる。
【００４０】
図１のスピーカフォン２及び８では、第一機器がスピーカフォン１に接続されていないと判断される（Ｓ１：ＮＯ）。この場合、スピーカフォン１の上流側には、他のスピーカフォン１が接続されていないことになる。このためＣＰＵ４１は、Ｓ３の処理と同様の処理を行う（Ｓ７）。Ｓ６又はＳ７の次にＣＰＵ４１は、可変ゲイン増幅器５４に対して、可変ゲイン増幅器５４のゲインに大を設定するための指令を出力する（Ｓ８）。Ｓ８の処理によって、可変ゲイン増幅器５４における増幅率が大に設定される。ゲインに大が設定された場合、ゲインに小が設定される場合に比べ、可変ゲイン増幅器５４での音データの増幅率が大きくなる。
【００４１】
ＣＰＵ４１は、第二電圧が０．３Ｖ以上であるか否かを判断する（Ｓ９）。図１のスピーカフォン６，８では、第二電圧が０．３Ｖ未満であると判断され（Ｓ９：ＮＯ）、前述のＳ１２の処理を実行する。図１のスピーカフォン２から４では、第二電圧が０．３Ｖ以上であると判断され（Ｓ９：ＹＥＳ）、Ｓ１４及びＳ１５の処理を実行する。Ｓ１４の処理はＳ１０と同様であり、Ｓ１５の処理はＳ１１と同様である。Ｓ１１，Ｓ１３，Ｓ１５のいずれかの次にＣＰＵ４１は、終了の指示が入力されていなければ（Ｓ１８：ＮＯ）、処理をＳ１に戻る。終了の指示は、スピーカフォン１の電源がＯＦＦにされた場合に入力される。終了の指示が入力された場合（Ｓ１８：ＹＥＳ）、ＣＰＵ４１はメイン処理を終了する。
【００４２】
スピーカフォン１は、本発明の音データ処理装置に相当する。内蔵マイク４５，及びスピーカ４６は各々、本発明のマイク、及びスピーカに相当する。第一接続端子１０，第一出力部１２，及び入力部１３は各々、本発明の第一接続端子、第一出力部、及び入力部に相当する。第二接続端子２０，入出力部２１，及び第二出力部２２は、本発明の第二接続端子、入出力部、及び第二出力部に相当する。第三接続端子３０は、本発明の第三接続端子に相当する。Ｓ１及びＳ２の処理を実行するＣＰＵ４１は、本発明の第一判断手段として機能する。Ｓ５及びＳ９の処理を実行するＣＰＵ４１は、本発明の第二判断手段として機能する。Ｓ３，Ｓ６及びＳ７の処理を実行するＣＰＵ４１は、本発明の第一切替制御手段として機能する。Ｓ１０，Ｓ１２及びＳ１４の処理を実行するＣＰＵ４１は、本発明の第二切替制御手段として機能する。合成回路５３は本発明の第一合成手段として機能する。Ｓ４の処理を実行するＣＰＵ４１は、本発明の音データ調整手段として機能する。挿抜検出部１１は、本発明の検出手段に相当する。基準電源４７，プルアップ抵抗４８及びコンデンサ４９は各々、本発明の、基準電源、プルアップ抵抗及びコンデンサに相当する。合成回路５２は、本発明の第二合成手段として機能する。スイッチ６１は、本発明の切替手段に相当する。Ｓ１３の処理を実行するＣＰＵ４１は、本発明の第三切替制御手段として機能する。
【００４３】
上記実施形態のスピーカフォン１は、第一接続端子１０と、第二接続端子２０とを備え、両者を利用して、複数のスピーカフォン１を直列に接続可能である。スピーカフォン１は更に、第三接続端子３０を備え、第三接続端子３０を介して音データを入出力可能である。スピーカフォン１は、複数のスピーカフォン１がデイジーチェーン接続した状態で、第三接続端子３０を介して、音データを入出力可能である。スピーカフォン１は、第一接続端子１０に他のスピーカフォン１が接続されているか否かに応じて、第三接続端子３０を介した音データの入出力を許可するか否かを自動的に切り替えることができる。スピーカフォン１は、第二接続端子２０に他のスピーカフォン１が接続されているか否かに応じて、スピーカ４６により音を出力するか否かを自動的に切り替えることができる。このためスピーカフォン１は、これらの切替をユーザが手動で実行する場合に比べ、自身と接続された機器に応じた処理を容易に実行可能である。
【００４４】
スピーカフォン１が第一接続端子１０を介して他のスピーカフォン１に接続されている場合、スピーカフォン１はデイジーチェーンの一部であり、第一接続端子１０を介して接続された他のスピーカフォン１の下流側の装置を構成していると想定される。そこでスピーカフォン１は挿抜検出部１１の検出結果と、第一電圧とに基づき、第一機器がスピーカフォン１であるか否かを判断する（Ｓ１：ＹＥＳ，Ｓ２：ＮＯ）。そしてスピーカフォン１は、第一接続端子１０に他のスピーカフォン１に接続されている場合、第三接続端子３０を介して音データを入出力する処理を禁止する（Ｓ６）。これによりスピーカフォン１は、第三接続端子３０から入力された音データに基づき、デイジーチェーンを構成する上流側の他のスピーカフォン１とは異なる音が再生されることを回避することができる。またスピーカフォン１は、デイジーチェーンを構成する他のスピーカフォン１とは別に、第三接続端子３０を介して音データを通信装置８０に出力することを不能とする。したがって、スピーカフォン１は、自身がデイジーチェーンの一部を構成する装置であるが、最上流の装置ではないと判断される場合には、第三接続端子３０を介した音データの入出力を禁止することができる。一方、スピーカフォン２，５，７及び８のように、第二接続端子２０に他のスピーカフォン１が接続され、第一接続端子１０に他のスピーカフォン１が接続されていない場合、最上流の装置であると想定される。スピーカフォン１は、第二接続端子２０に他のスピーカフォン１が接続されていても、第一接続端子１０に他のスピーカフォン１が接続されていなければ、第三接続端子３０を介して音データを通信装置８０に入出力することを禁止しない。スピーカフォン１がデイジーチェーンの最上流の装置である場合には、第三接続端子３０を介して通信装置８０と音声データの入出力が可能である。このようにスピーカフォン１は、デイジーチェーンを構成するスピーカフォン１において、個々に音データの入出力が許可される場合比べ、音データを第三接続端子３０を介して通信装置８０に出力する処理の統制を図ることができる。
【００４５】
特に音声会議システム１００においては、デイジーチェーン接続されたスピーカフォン１の各々において、同じ音データに基づき、同じ音が再生されることが好ましい。また、デイジーチェーン接続されたスピーカフォン１の各々から収集される音を表す音データが取得され、他の通信装置８０に送信されることが好ましい。上記実施形態の音声会議システム１００においては、デイジーチェーン接続されたスピーカフォン１の各々において、同じ音データに基づき、同じ音が再生される。またデイジーチェーン接続されたスピーカフォン１の各々で生成された音データは、上流側の他のスピーカフォン１に出力され、合成回路５１又は５３によって、最終的に１つの音データに合成される。スピーカフォン１は、自身がデイジーチェーンの一部を構成すると判断される場合には、自身が最上流の装置であるときに、スイッチ６４，６５を制御して、第三接続端子３０を介した音データの入出力を可能とすることができる。スピーカフォン１は、デイジーチェーン接続された場合、自身が生成した音データを上流側の他のスピーカフォン１に出力し、複数のスピーカフォン１から出力される音データを１つのデータにまとめて、他の通信装置８０に送信することができる。したがって、スピーカフォン１は、デイジーチェーン接続された複数のスピーカフォン１の一部について、音データが他の通信装置８０に送信されない事態を回避できる。スピーカフォン１は、デイジーチェーン接続された複数のスピーカフォン１が、個別に音データを音声会議システム１００の他の通信装置８０に送信することを回避できる。
【００４６】
スピーカフォン１は、第二機器が音出力装置である場合には、スピーカ４６から音を出力させない。スピーカフォン１は、第二機器に応じて、スピーカ４６により音を出力するか否かをユーザが手動で切り替える手間を省くことができる。スピーカフォン１は、第一機器が携帯端末である場合には、合成回路５１のゲインの設定を、第一機器は他のスピーカフォンであると判断された場合に比べ小さくすることができる（Ｓ２：ＹＥＳ，Ｓ４）。これによりスピーカフォン１は、スピーカフォン１から出力された音データが携帯電話で再生された場合にも、音の大きさが大きすぎるという事態を回避することができる。
【００４７】
スピーカフォン１は、第一電圧と挿抜検出部１１の検出結果に基づき、第一機器が他のスピーカフォン１であるか、携帯端末であるかを検出可能である。このためスピーカフォン１は、第一機器の種類に応じた処理を自動的に実行することができる。
【００４８】
スピーカフォン１は基準電源４７，プルアップ抵抗４８及びコンデンサ４９という、比較的簡単な構成によって、第二電圧に基づき、第二接続端子２０に何も接続されていない場合と、音出力装置が接続された場合と、他のスピーカフォン１が接続された場合とを識別することが可能である。このためスピーカフォン１は、第二機器の種類に応じた処理を自動的に実行することができる。
【００４９】
本発明の音データ処理装置は、上記した実施形態のスピーカフォン１に限定されるものではなく、本発明の要旨を逸脱しない範囲内において種々変更が加えられてもよい。例えば、以下の（Ａ）から（Ｃ）までの変形が適宜加えられてもよい。
【００５０】
（Ａ）スピーカフォン１の構成は適宜変更されてよい。例えば、挿抜検出部１１，基準電源４７，プルアップ抵抗４８及びコンデンサ４９の各々は、必要に応じて省略されてよい。合成回路５１から５３の各々は、必要に応じて省略されてよい。合成回路５１から５３の各々の機能の一部又は全部を、ＣＰＵ４１によって実現してもよい。可変ゲイン増幅器５４から５６の各々は、必要に応じて省略されてもよい。可変ゲイン増幅器５４から５６の各々の機能の一部又は全部を、ＣＰＵ４１によって実現してもよい。音データ処理装置は、スピーカフォン１に限定されず、マイクを備えない装置であってもよい。第一接続端子、第二接続端子及び第三接続端子の構成は各々適宜変更されてよい。例えば、第三接続端子は、ＵＳＢ規格の端子に限定されず、他の規格の端子であってもよい。
【００５１】
（Ｂ）図３のメイン処理を実行させるための指令を含むプログラム及び各種設定値は、スピーカフォン１がプログラムを実行するまでに、スピーカフォン１が備える記憶機器に記憶されればよい。したがって、プログラム及び設定値の取得方法、取得経路及びプログラムを記憶する機器の各々は適宜変更されてよい。スピーカフォン１が備えるプロセッサが実行するプログラム及び設定値は、ケーブル又は無線通信を介して、他の装置から受信し、フラッシュメモリ等の記憶装置に記憶されてもよい。他の装置は、例えば、ＰＣ，及びネットワーク網を介して接続されるサーバを含む。
【００５２】
（Ｃ）図３のメイン処理の各ステップは、ＣＰＵ４１によって実行される例に限定されず、一部又は全部が他の電子機器（例えば、ＡＳＩＣ）によって実行されてもよい。また、上記処理の各ステップは、複数の電子機器（例えば、複数のＣＰＵ）によって分散処理されてもよい。また上記実施形態のメイン処理の各ステップは、必要に応じて順序の変更、ステップの省略、及び追加が可能である。さらに更に、スピーカフォン１が備えるＣＰＵ４１からの指令に基づき、スピーカフォン１上で稼動しているオペレーティングシステム（ＯＳ）等が実際の処理の一部又は全部を行い、その処理によって上記実施形態の機能が実現される場合も本発明の範囲に含まれる。例えば、スピーカフォン１が実行するメイン処理において、以下の変形が適宜加えられてもよい。
【００５３】
（Ｃ−１）第一機器がスピーカフォン１である場合と、第一機器が携帯端末である場合と、第一接続端子１０に外部装置が接続されていない場合とで、第一電圧が異なる場合には、挿抜検出部１１を省略してよい。この場合例えば、Ｓ１の処理は省略し、第一電圧に関する２つの閾値を用いて、第一機器がスピーカフォン１である場合と、第一機器が携帯端末である場合と、第一接続端子１０に外部装置が接続されていない場合とを判別してもよい。
【００５４】
（Ｃ−２）携帯端末において、音データの音量を自動調整する場合等には、Ｓ４，Ｓ８の処理を省略してよい。
【００５５】
（Ｃ−３）Ｓ３，Ｓ６及びＳ７において、第三接続端子３０を介した音データの入出力の許可及び禁止の切替は、スイッチ６４，６５を用いて機械的に行う他、ＣＰＵ４１によって第三接続端子３０を介した音データの入出力の許可及び禁止を制御してもよい。同様にＳ１０，Ｓ１２及びＳ１４において、スピーカ４６による音データの再生の許可及び禁止の切替は、スイッチ６３を用いて機械的に行う他、ＣＰＵ４１によってスピーカ４６に対する音データの出力の有無を切り替えてもよい。
【符号の説明】
【００５６】
１  スピーカフォン
１０  第一接続端子
１１  挿抜検出部
１２  第一出力部
１３  入力部
２０  第二接続端子
２１  入出力部
２２  第二出力部
３０  第三接続端子
４１  ＣＰＵ
４２  ＲＯＭ
４３  ＲＡＭ
４７  基準電源
４８  プルアップ抵抗
４９  コンデンサ
５２，５３  合成回路
５４  可変ゲイン増幅器
６１，６２，６３，６４，６５  スイッチ
【図１】
2014158153.tif 000003
【図２】
2014158153.tif 000004
【図３】
2014158153.tif 000005